(57)【要約】【課題】赤外線を利用した暗証情報印刷物であって、読み取り機の読み取り窓にかざすだけで精度よく判定することができる技術を提供すること。【解決手段】赤外線反射性基材１０の表面に暗証情報形成領域２ａと外乱光検出領域３ａを設け、情報形成領域に暗証情報を示す印刷画像２１を設けると共にこの印刷画像を覆う隠蔽層２２を設け、かつ、外乱光検出領域に外乱光検出層３１を設けて構成される暗証情報印刷物１であって、印刷画像を遠赤外線を吸収する黒インキで構成し、隠蔽層を遠赤外線を透過し、近赤外線を吸収又は反射する黒インキで構成し、外乱光検出層を遠赤外線を透過し、近赤外線を吸収する黒インキで構成する。読み取り窓にかざして外乱光検出層の検出濃度が低ければ、より近づけて暗証情報の読み取りの可否を判定する。【選択図】図１
2015223766.tif 000002
【特許請求の範囲】
【請求項１】
赤外線反射性基材の表面に暗証情報形成領域とこれと並んで外乱光検出領域を設け、情報形成領域に暗証情報を示す印刷画像を設けると共にこの印刷画像を覆う隠蔽層を設け、かつ、外乱光検出領域に外乱光検出層を設けて構成される暗証情報印刷物であって、
互いに波長の異なる２種類の赤外線を、それぞれ、第１の赤外線、第２の赤外線とするとき、
前記印刷画像が第１の赤外線を吸収する黒インキで構成されたものであり、
前記隠蔽層が第１の赤外線を透過し、第２の赤外線を吸収又は反射する黒インキで構成されたものであり、
前記外乱光検出層が第１の赤外線を透過し、第２の赤外線を吸収する黒インキで構成されたものである、
ことを特徴とする暗証情報印刷物。
【請求項２】
第１の赤外線が遠赤外線であり、第２の赤外線が近赤外線であることを特徴とする請求項１又は２に記載の暗証情報印刷物。
【請求項３】
請求項１又は２に記載の暗証情報印刷物に第１の赤外線及び第２の赤外線をそれぞれ別個に照射し、その反射光を検知する読み取り装置を使用して、前記暗証情報印刷物が真正であるか否かを判定する判定方法において、
前記暗証情報印刷物に第２の赤外線を照射した状態で外乱光検出層が十分な濃度で検知できることを確認する位置決め工程と、
この暗証情報印刷物に第１の赤外線と第２の赤外線とを、それぞれ別個に照射して、次の条件１及び条件２のいずれか一方又は両方を充足しないとき、真正でないと判定する判定工程と
を有することを特徴とすることを特徴とする暗証情報印刷物の判定方法。
条件１‥暗証情報印刷物の暗証情報形成領域に第１の赤外線を照射して暗証情報が検知できること。
条件２‥暗証情報印刷物の暗証情報形成領域に第２の赤外線を照射して暗証情報が検知できないこと。
【請求項４】
請求項１又は２に記載の暗証情報印刷物に第１の赤外線及び第２の赤外線をそれぞれ別個に照射し、その反射光を検知する読み取り装置を使用して、前記暗証情報印刷物が真正であるか否かを判定する判定方法において、
前記暗証情報印刷物に第２の赤外線を照射した状態で外乱光検出層が十分な濃度で検知できることを確認する位置決め工程と、
この暗証情報印刷物に第１の赤外線と第２の赤外線とを、それぞれ別個に照射して、次の条件１〜３のいずれかを充足しなかったとき、真正なものではないと判定する判定工程と
を有することを特徴とすることを特徴とする暗証情報印刷物の判定方法。
条件１‥暗証情報印刷物の暗証情報形成領域に第１の赤外線を照射して暗証情報が検知できること。
条件２‥暗証情報印刷物の暗証情報形成領域に第２の赤外線を照射して暗証情報が検知できないこと。
条件３‥暗証情報印刷物の外乱光検出領域に第１の赤外線を照射したとき、外乱光検出層は十分な濃度で検知できないこと。
【発明の詳細な説明】
【技術分野】
【０００１】
本発明は暗証情報印刷物に関するものである。本発明の暗証情報印刷物は、例えば、有価証券などに貼付して、この暗証情報印刷物の真偽を判定することにより、これら有価証券などの真偽を判定するために使用できる。
【背景技術】
【０００２】
有価証券、身分証明書あるいはブランド商品や高額な商品については、市場に偽造品が出回ることがある。この偽造品を真正品と区別するため、真正品に偽造防止マークを貼付する技術は周知である。
【０００３】
このような偽造防止技術にはさまざまなものがあるが、例えば、特許文献１は、赤外線照射によって読み取れる偽造防止技術を開示している。特許文献１に記載の偽造防止技術では、赤外線を波長が異なる２種類の赤外線に区別した上、両赤外線を吸収する第１のインキと、第１の赤外線を吸収するが第２の赤外線を反射する第２のインキによって、それぞれ、暗証情報を形成した暗証情報印刷物を使用する。
【０００４】
この印刷物は専用の読み取り機によってこれら暗証情報を読み取ることができる。すなわち、この読み取り機は、第１の赤外線及び第２の赤外線を別個に照射する赤外線照射装置と、暗証情報印刷物から反射した赤外線を感知して撮像する赤外線撮像カメラとを内蔵するものである。そして、この読み取り機に暗証情報印刷物を位置決めし、第１の赤外線を照射すると、第１のインキで印刷された第１の暗証部分と第２のインキで印刷された第２の暗証部分の両者が第１の赤外線を吸収し、周囲の基材が反射する。ため、赤外線撮像カメラによって両暗証部分を読み取ることができる。一方、第２の赤外線を照射すると、第１のインキで印刷された第１の暗証部分が第２の赤外線を吸収し、周囲の基材と第２のインキで印刷された第２の暗証部分の両者が反射するため、第１の暗証部分を読み取ることができる。
【０００５】
ところで、自然光や室内光にはわずかに赤外線が含まれている。このため、これら自然光や室内光の存在下でこの暗証情報印刷物を赤外線撮像カメラにさらすと、赤外線を照射しなくても、前記暗証情報が読み取れることがある。このため、特許文献１に記載の偽造防止技術では、暗証情報印刷物を読み取り機の内部に収容して自然光や室内光を遮断する技術を開示している。
【先行技術文献】
【特許文献】
【０００６】
【特許文献１】特許第４９１０４２２号公報
【発明の概要】
【発明が解決しようとする課題】
【０００７】
特許文献１に記載の技術では、このように暗証情報印刷物を読み取り機の内部に収容する必要があるため、判定作業が煩雑でしかも高速で判定することができない。また、自動的に搬送収容する搬送機構を設ける場合には、読み取り装置が大きくかつ高価なものとなり、また、その判定作業も時間のかかるものとなってしまう。
【０００８】
そこで、本発明は、赤外線を利用した暗証情報印刷物であって、読み取り機の読み取り窓にかざすだけで精度よく判定することができる技術を提供することを目的とする。
【課題を解決するための手段】
【０００９】
すなわち、請求項１に記載の発明は、赤外線反射性基材の表面に暗証情報形成領域とこれと並んで外乱光検出領域を設け、情報形成領域に暗証情報を示す印刷画像を設けると共にこの印刷画像を覆う隠蔽層を設け、かつ、外乱光検出領域に外乱光検出層を設けて構成される暗証情報印刷物であって、
互いに波長の異なる２種類の赤外線を、それぞれ、第１の赤外線、第２の赤外線とするとき、
前記印刷画像が第１の赤外線を吸収する黒インキで構成されたものであり、
前記隠蔽層が第１の赤外線を透過し、第２の赤外線を吸収又は反射する黒インキで構成されたものであり、
前記外乱光検出層が第１の赤外線を透過し、第２の赤外線を吸収する黒インキで構成されたものである、
ことを特徴とする暗証情報印刷物である。
【００１０】
次に、請求項２に記載の発明は、第１の赤外線が遠赤外線であり、第２の赤外線が近赤外線であることを特徴とする請求項１又は２に記載の暗証情報印刷物である。
【００１１】
また、請求項３に記載の発明は、請求項１又は２に記載の暗証情報印刷物に第１の赤外線及び第２の赤外線をそれぞれ別個に照射し、その反射光を検知する読み取り装置を使用して、前記暗証情報印刷物が真正であるか否かを判定する判定方法において、
前記暗証情報印刷物に第２の赤外線を照射した状態で外乱光検出層が十分な濃度で検知できることを確認する位置決め工程と、
この暗証情報印刷物に第１の赤外線と第２の赤外線とを、それぞれ別個に照射して、次の条件１及び条件２のいずれか一方又は両方を充足しないとき、真正でないと判定する判定工程と
を有することを特徴とすることを特徴とする暗証情報印刷物の判定方法である。
【００１２】
条件１‥暗証情報印刷物の暗証情報形成領域に第１の赤外線を照射して暗証情報が検知できること
条件２‥暗証情報印刷物の暗証情報形成領域に第２の赤外線を照射して暗証情報が検知できないこと。
【００１３】
また、請求項４に記載の発明は、請求項１又は２に記載の暗証情報印刷物に第１の赤外線及び第２の赤外線をそれぞれ別個に照射し、その反射光を検知する読み取り装置を使用して、前記暗証情報印刷物が真正であるか否かを判定する判定方法において、
前記暗証情報印刷物に第２の赤外線を照射した状態で外乱光検出層が十分な濃度で検知できることを確認する位置決め工程と、
この暗証情報印刷物に第１の赤外線と第２の赤外線とを、それぞれ別個に照射して、次の条件１〜３のいずれかを充足しなかったとき、真正なものではないと判定する判定工程と
を有することを特徴とすることを特徴とする暗証情報印刷物の判定方法である。
【００１４】
条件１‥暗証情報印刷物の暗証情報形成領域に第１の赤外線を照射して暗証情報が検知できること
条件２‥暗証情報印刷物の暗証情報形成領域に第２の赤外線を照射して暗証情報が検知できないこと
条件３‥暗証情報印刷物の外乱光検出領域に第１の赤外線を照射したとき、外乱光検出層は十分な濃度で検知できないこと。
【発明の効果】
【００１５】
本発明の暗証情報印刷物は、暗証情報形成領域に並んで外乱光検出領域を有しており、この外乱光検出領域に第１の赤外線を透過し、第２の赤外線を吸収する外乱光検出層を設けているから、読み取り機の読み取り窓にかざしても自然光や室内光に含まれる赤外線（以下「外乱光」という）の量が多い場合、この外乱光に含まれる第１の赤外線が外乱光検出層を透過して基材で反射される。また、その周囲の基材も赤外線を反射するから、十分な濃度の外乱光検出層を検出することができない。他方、外乱光の量が少ない場合には、この外乱光検出層を透過する赤外線が少なく、外乱光に含まれる可視光は黒色の外乱光検出層で吸収され、その周囲の基材で反射されるから、その両者のコントラストが高くなって、外乱光検出層を十分な濃度で検出して読み取ることができる。
【００１６】
したがって、本発明の暗証情報印刷物を読み取り機の読み取り窓にかざして十分な濃度の外乱光検出層を検出することができない場合には、前記暗証情報を読み取って真偽を判定するためには不適切であると判断できる。この場合には、更に暗証情報印刷物を読み取り窓に近づけて外乱光を遮断すればよい。そして、十分な濃度の外乱光検出層を検出することができ、したがって外乱光の量が少ないことを確認した後、その位置で第１の赤外線及び第２の赤外線を照射して暗証情報が検知できるか否かを確認することにより、その暗証情報印刷物が真正であるか否かを判定することができる。
【００１７】
以上のように、本発明によれば、暗証情報が検知できるか否かを確認する前に外乱光の多寡を判断できるから、単に読み取り窓にかざすだけで精度よく判定することができるのである。
【図面の簡単な説明】
【００１８】
【図１】図１（ａ）は本発明に係る暗証情報印刷物の例を示す要部説明用の平面図、図１（ｂ）は要部説明用の断面図である
【図２】白色紙上に印刷した印刷インキ被膜に光線を照射して、その反射率を測定した分光反射率曲線である
【図３】読み取り機を使用して暗証情報印刷物１の真否を判定する方法を示す説明図である
【発明を実施するための形態】
【００１９】
本発明に係る暗証情報印刷物は、赤外線反射性基材と、この赤外線反射性基材に設けられた暗証情報形成領域及び外乱光検出領域を必須の構成要素とするものである。暗証情報形成領域には、暗証情報を示す印刷画像を設けると共にこの印刷画像を覆う隠蔽層を設ける必要がある。また、外乱光検出領域に外乱光検出層を設ける必要がる。
【００２０】
そして、互いに波長の異なる２種類の赤外線を、それぞれ、第１の赤外線、第２の赤外線とするとき、これら印刷画像、隠蔽層及び外乱光検出層は、それぞれ、次の条件を満たしている。
【００２１】
すなわち、印刷画像は第１の赤外線を吸収する黒インキで構成されたものである。
【００２２】
また、隠蔽層は第１の赤外線を透過し、第２の赤外線を吸収又は反射する黒インキで構成されたものである。
【００２３】
また、外乱光検出層が第１の赤外線を透過し、第２の赤外線を吸収する黒インキで構成されたものである。
【００２４】
図１（ａ）は本発明に係る暗証情報印刷物の例を示す要部説明用の平面図、図１（ｂ）は要部説明用の断面図で、これらの図から分かるように、本発明に係る暗証情報印刷物１
は、赤外線反射性基材１０として白色のコート紙を使用し、その表面に暗証情報形成領域２ａと検出外乱光検出領域３ａとを設けている。図中、一点鎖線で囲んだ範囲が暗証情報形成領域２ａ、二点鎖線で囲んだ範囲が検出外乱光検出領域３ａであって、これらは互いに重なることなく、並んで設けられている。
【００２５】
そして、暗証情報形成領域２ａには、暗証情報を示す印刷画像２１が設けられ、更にこの印刷画像２１を覆って隠蔽層２２が設けられている。一方、検出外乱光検出領域３ａには外乱光検出層３１が設けられている。
【００２６】
そこで、まず、暗証情報形成領域２ａについて説明すると、この例では第１の赤外線として遠赤外線、第２の赤外線として近赤外線を利用し、印刷画像２１は近赤外線及び遠赤外線を吸収する黒インキで構成されている。また、隠蔽層２２は、遠赤外線を透過し、近赤外線を吸収する黒インキで構成されている。このため、まず、自然光のもとでこの暗証情報形成領域を観察すると、隠蔽層２２が黒インキで構成されているため、暗証情報を観察することはできない。次に、遠赤外線を照射し、その反射光を赤外線撮像カメラで受光すると、遠赤外線は隠蔽層２２を透過して印刷画像２１に吸収され、一方、印刷画像２１の周囲に入射した遠赤外線は赤外線反射性基材１０で反射され、再び隠蔽層２２を透過して赤外線撮像カメラに受光されるから、そのコントラストにより印刷画像２１が構成する暗証情報を検出することができる。また、近赤外線を照射すると、近赤外線は隠蔽層２２で吸収されて印刷画像２１に到達しないから、暗証情報を検出することはできない。
【００２７】
次に、この例では、外乱光検出層３１を前記隠蔽層２２と同じ黒インキで構成している。すなわち、外乱光検出層３１は、遠赤外線を透過し、近赤外線を吸収する黒インキで構成されている。このため、遠赤外線を照射し、その反射光を赤外線撮像カメラで受光すると、遠赤外線は外乱光検出層３１を透過して赤外線反射性基材１０で反射され、その周囲に入射した遠赤外線も赤外線反射性基材１０で反射されるから、その両者にコントラストがなく、したがって、外乱光検出層を検出することはできない。また、近赤外線を照射すると、近赤外線は外乱光検出層３１で吸収され、一方、外乱光検出層３１の周囲に入射した近赤外線は赤外線反射性基材１０で反射されるから、そのコントラストにより外乱光検出層３１を検出できる。
【００２８】
なお、自然光のもとではこの外乱光検出層３１を観察すると、この自然光に含まれる赤外線の量に応じて異なる結果となる。すなわち、赤外線がほとんど含まれていない場合、この外乱光検出層３１は黒インキで構成されているため、高濃度の画像として観察できる。赤外線撮像カメラで撮像した場合も同様である。一方、赤外線が多量に含まれている場合、赤外線撮像カメラで撮像すると、外乱光検出層３１は検出できないか、検出できたとしても、低濃度の画像として検出できるだけである。
【００２９】
ここで、近赤外線及び遠赤外線を吸収する黒インキとしては、カーボンブラックを含む一般印刷用墨インキを使用することができる。また、近赤外線を透過し、遠赤外線を吸収する黒インキとしては、ペリレン系黒色顔料を含むインキが例示できる。図２は、白色紙上に印刷した印刷インキ被膜に光線を照射して、その反射率を測定した分光反射率曲線であり、この反射光の中には、印刷インキ被膜による反射光成分のほかに、印刷インキ被膜を透過して白色紙で反射された成分が含まれている。そして、図中、Ａは一般印刷用の東洋インキ製造社製ＦＤ  カルトン  ＡＣＥ  墨インキの分光反射率曲線、Ｂはペリレン系黒色顔料を含むインキの分光反射率曲線を示すものである。
【００３０】
この暗証情報印刷物１は、例えば、赤外線反射性基材１０に接着剤を塗布し、この接着剤によってさまざまな物品に貼付して使用することができる。例えば、紙幣や債券などの有価証券である。また、ＩＤカードや社員証、会員証などの身分証明書である。また、ブ
ランド商品や高額商品に貼付することもできる。そして、これら物品に貼付された暗証情報印刷物１が真否を判定することにより、これら物品が真正なものか否かを推定することが可能である。
【００３１】
この判定は、赤外線照射装置と赤外線撮像カメラを内蔵し、透明窓を有する読み取り機を使用して、機械的に行うことができる。判定にあたっては、読み取り機の透明窓に暗証情報印刷物１をかざすだけ可能であり、読み取り機の内部に収容したり、挿入したりする必要がない。
【００３２】
図３はこのような読み取り機を使用して暗証情報印刷物１の真否を判定する方法を示す説明図である。すなわち、この読み取り機４は透明窓４１を有しており、この透明窓４１にかざした暗証情報印刷物１に対して遠赤外線ｘ２を照射する遠赤外線照射装置４２と、近赤外線ｘ３を照射する近赤外線照射装置４３を内蔵している。また、暗証情報印刷物１に照射されたこれら赤外線を受光して、前記暗証情報及び外乱光検出層を検出する赤外線撮像カメラ４４を内蔵している。
【００３３】
そして、暗証情報印刷物１の真否を判定するにあたっては、暗証情報印刷物１を透明窓４１にかざし、まず、外乱光の有無を検出する。この外乱光が多量にある場合には、さらに暗証情報印刷物１を透明窓４１に近づけて、外乱光が十分に減少した状態に位置決めする。そして、こうして位置決めされた状態で、前記暗証情報を読み取ることができるか否かを確認して、その真否を判定する。なお、この位置決め工程と判定工程とは一連の工程であって、ほぼ同時に、かつ、瞬間的に両工程を実行することが可能である。
【００３４】
この位置決め工程は、透明窓４１にかざした暗証情報印刷物１に対して近赤外線を照射して前記外乱光検出層３１を読み取り、この外乱光検出層３１が十分な濃度で読み取れる位置まで、繰り返して移動させる工程である。すなわち、仮にこの外乱光検出層３１を十分な濃度で読み取ることができたと確認できた場合には、この位置で次の判定工程を実行する。また、外乱光検出層３１を読み取ることができない場合には、暗証情報印刷物１を透明窓４１にさらに近づけて外乱光検出層３１を十分な濃度で読み取ることができる位置まで移動する。なお、予め定めた基準濃度と検出濃度とを比較することにより、外乱光検出層３１を十分な濃度で読み取ることができるか否かを判定することが可能である。
【００３５】
次に、判定工程は、位置決めされた暗証情報印刷物１に遠赤外線ｘ２と近赤外線ｘ３とを、それぞれ別個に、かつ、任意の順序で照射して、その反射光によって暗証情報印刷物１の真否を判定する工程である。
【００３６】
この判定の基準としては、例えば、次の条件１及び条件２を採用することができる。この判定基準では、前記暗証情報印刷物１が条件１と条件２の両方を充足したときにその暗証情報印刷物１が真正なものと推定し、条件１と条件２のいずれか一方又は両方を充足しなかったとき真正なものではないと判定する。
【００３７】
条件１‥暗証情報印刷物１の暗証情報形成領域２ａに遠赤外線ｘ２を照射して暗証情報が検知できること
条件２‥暗証情報印刷１物の暗証情報形成領域２ａに近赤外線ｘ３を照射して暗証情報が検知できないこと。
【００３８】
前述のように、暗証情報印刷物１が真正な場合には、その暗証情報形成領域２ａに照射された遠赤外線ｘ２は隠蔽層２２を透過して印刷画像２１に吸収され、その周囲で反射されるため、印刷画像２１が構成する暗証情報を検知できる。また、暗証情報形成領域２ａに照射された近赤外線ｘ３は隠蔽層２２に吸収されて印刷画像２１に到達しないから、印
刷画像２１が構成する暗証情報を検知ことはできない。すなわち、真正な暗証情報印刷物１は必ず条件１及び条件２の両方を満たすのである。
【００３９】
なお、暗証情報印刷物１が条件１と条件２の両方を充足した場合であっても、その暗証情報印刷物１が真正なものであると保障できるわけではない。例えば、暗証情報印刷物１に別の偽造防止技術が重ねて施されている場合には、その偽造防止技術も考慮して真否を判定すべきである。
【００４０】
また、前記判定基準として、条件１及び条件２に加えて、次の条件３を採用することもできる。この判定基準では、条件１〜３のすべてを充足したときにその暗証情報印刷物１が真正なものと推定し、条件１〜３のいずれかを充足しなかったとき真正なものではないと判定する。
【００４１】
条件３‥暗証情報印刷物１の外乱光検出領域３ａに遠赤外線を照射したとき、外乱光検出層３１は十分な濃度で検知できないこと。
【００４２】
前述のように、暗証情報印刷物１が真正な場合には、外乱光検出層３１は遠赤外線を透過し、この外乱光検出層３１とその周囲のいずれの位置でも光反射性基材１０によって反射されるから、外乱光検出層３１を十分な濃度で検出することはできない。すなわち、真正な暗証情報印刷物１は必ず条件１〜２に加えて条件３を満たすのである。なお、この基準濃度は、位置決め工程における基準濃度と異なるものであってよい。
【００４３】
なお、条件１〜３の他に、次の条件４を判定基準とすることもできるが、一般印刷用の墨インキはこの条件４を充足するから、この条件４によっては外乱光検出層３１を一般印刷用の墨インキで形成した偽造品を見破ることは困難である。
【００４４】
条件４‥暗証情報印刷物１の外乱光検出領域３ａに近赤外線を照射したとき、外乱光検出層３１が検知できること。
【００４５】
以上、隠蔽層２２を近赤外線を吸収する黒インキで構成した暗証情報印刷物を例として本発明を説明したが、隠蔽層２２を近赤外線を反射する黒インキで構成することも可能である。また、以上の例では、第１の赤外線として遠赤外線、第２の赤外線として近赤外線を利用しているが、これに限られず、第１の赤外線や第２の赤外線として別の赤外線を利用することも可能である。例えば、第１の赤外線として近赤外線を利用し、第２の赤外線として遠赤外線を利用する場合である。
【符号の説明】
【００４６】
１‥暗証情報印刷物
１０‥光反射性基材
２ａ‥暗証情報形成領域
２１‥暗証情報を示す印刷画像  
２２‥隠蔽層
３ａ‥外乱光検出領域  
３１‥外乱光検出層
４‥読み取り機
４１‥透明窓
４２‥遠赤外線照射装置
４３‥近赤外線照射装置
４４‥赤外線撮像カメラ
【図１】
2015223766.tif 000003
【図２】
2015223766.tif 000004
【図３】
2015223766.tif 000005